(57)【特許請求の範囲】
【請求項１】
テーブルの幕板に取り付け可能であるとともに、所定の可撓性を有する帯板状のレール部材と、該レール部材に左右方向に移動自在に係合する取付部を有し、該取付部よりフック状に延びる配線支持部からなる複数の単位ダクトとから成り、該複数のダクトが、前記レール部材の長手方向に配設されてなることを特徴とする配線ダクト構造。
【請求項２】
前記レール部材には、正面側が開放された凹部の上下に対向する溝部が形成され、前記単位ダクトの取着部は、前記レール部材の溝部に左右端部から挿入可能な係止片が上下端部に対向配置されている請求項１に記載の配線ダクト構造。
【請求項３】
前記レール部材には、上下に係止片が突設され、前記配線ダクトの取着部は、前記レール部材の左右端部から前記係止片に挿入可能な溝部が上下端部に対向配置されている請求項１に記載の配線ダクト構造。
【請求項４】
前記単位ダクトは、１本の線材が折曲されて一体的に構成される配線支持部と、この後端側に取付けられる取付部とから構成されている請求項１に記載の配線ダクト構造。
【請求項５】
前記単位ダクトは、所定幅の帯板が折曲されて一体的に構成される配線支持部と、この後端側に設けられる取着部材とから構成されている請求項１に記載の配線ダクト構造。
【請求項６】
前記配線ダクトの取着部は、少なくとも湾曲形成されるレール部材の内面に接触する幅方向両端の縦方向角部が鋭角に形成されている請求項１に記載の配線ダクト構造。
【発明の詳細な説明】
【０００１】
【発明の属する技術分野】
本発明は、湾曲内面に取り付けられる配線ダクト構造に関する。
【０００２】
【従来の技術】
近年では、オフィスや図書館などでＯＡ機器などを載置して使用することができるテーブルが開発されており、この種のテーブルは年々改良されつつある。
【０００３】
例えば、図９に示されるように、テーブル０１の天板０２上でＯＡ機器等を使用するために天板０２の下面や側面には電源用のコード類やコンセント類を収容保持するための配線用ダクト０３が取付られている。
【０００４】
この種の配線用ダクト０３は、左右に延在した長尺形状であって、側面視前端には上端が内側に折曲した立上り部０３ａを設けると共に、後端には前端の立上り部より幅広の立上り部０３ｂが設けられたＣ形に形成されており、この後端立上り部０３ｂがビス０５によって平坦な幕板０４の内側に複数のビス０５を介して取り付けられている。
【０００５】
【発明が解決しようとする課題】
ところが、近年のＯＡ用のテーブルは、特に個人用のテーブルでは、天板の手前の作業側は湾曲凹部に形成されると共に先端部は湾曲した突状に形成されており、テーブルの前面下方には天板先端の湾曲形状に合わせて内側に湾曲した幕板が設けられている。
【０００６】
従って、従来幕板０４に取り付けられていた配線ダクトは、幕板０４の湾曲部の曲率に合わせて形成する必要があり、特に幕板０４の曲率は過大な曲率を有していることから側面視Ｃ状に形成された配線ダクト０３では曲率を正確に合わせた曲げ加工が困難となり、隙間無く確実に取り付けるための施工も困難なため施工能率が低下し、結果的にコスト高の要因となっていた。
【０００７】
本発明は、このような問題点に着目してなされたもので、湾曲した取付面に配線用ダクトを取り付けるに際し、曲率の大きさに関わらず容易に取り付けることができ、配線作業が容易で取扱の便利な配線ダクト構造を提供することを目的とする。
【０００８】
【課題を解決するための手段】
上記課題を解決するために、本発明のテーブルの配線ダクト構造は、テーブルの幕板に取り付け可能であるとともに、所定の可撓性を有する帯板状のレール部材と、該レール部材に左右方向に移動自在に係合する取付部を有し、該取付部よりフック状に延びる配線支持部を有する複数の単位ダクトが、前記レール部材の長さ方向に配設されてなることを特徴としている。
この特徴によれば、複数の単位ダクトを可撓性を有する帯板状のレール部材に係合した状態でテーブルの幕板等の湾曲部に取り付けられるので、複数の単位ダクト間の間隔を予め決ることにより湾曲曲率に合わせて取り付けることができ、湾曲部に取り付けられたレール部材においても適宜移動させて間隔を調整することができる。
【０００９】
本発明のテーブルの配線ダクト構造は、前記レール部材には、正面側が開放された凹部の上下に対向する溝部が形成され、前記単位ダクトの取着部は、前記レール部材の溝部に左右端部から挿入可能な係止片が上下端部に対向配置されていれば好適である。
このようにすることにより、レール部材の係止部が、正面側が開放されて上下に対向する溝部が形成されたものでは、単位ダクトの取着部がレール部材の係止部に上下で係止されるので多数の配線が支持されても安定状態で支持することができる。
【００１０】
本発明のテーブルの配線ダクト構造は、前記レール部材には、上下に係止片が突設され、前記配線ダクトの取着部は、前記レール部材の左右端部から前記係止片に挿入可能な溝部が上下端部に対向配置されていれば好適である。
このようにすることにより、レール部材の上下に係止片が突設されて形成されたものでは、配線ダクトの溝部が係止片に上下で係止されるので多数の配線が支持されても安定状態で支持することができる。
【００１１】
本発明のテーブルの配線ダクト構造は、前記単位ダクトとして、１本の線材が折曲されて一体的に構成される配線支持部と、この後端側に取付けられる取付部とから構成されていれば好適である。
このようにすることにより、配線支持部が１本の線材を折曲して構成されているので、成形が容易であり、配線支持部を軽量化することができる。
【００１２】
本発明のテーブルの配線ダクト構造は、前記単位ダクトとして、所定幅の帯板が折曲されて一体的に構成される配線支持部と、この後端側に設けられる取着部材とから構成されていれば好適である。
このようにすることにより、単位ダクトが所定幅の帯板を折曲するだけで形成されるので、形状が単純化し成形加工が容易になる。
【００１３】
本発明のテーブルの配線ダクト構造は、前記配線ダクトの取着部が、少なくとも湾曲形成されるレール部材の内面に接触する幅方向両端の縦方向角部が鋭角に形成されていれば好適である。
このようにすることにより、幅方向両端の角部がレール部材の内面との接触により食い込み勝手に係合するので、連設される複数の配線ダクトが適宜間隙を維持するよう容易に位置決めすることができる。
【００１４】
【発明の実施の形態】
以下、本発明の一実施形態を図面に基づいて説明する。図１は本発明の配線ダクトが取り付けられたテーブルの斜視図、図２は天板を除いた状態のテーブル下面を示す平面図、図３は本発明の第１実施形態としての単位ダクトがテーブルの幕板に取り付けられた状態を示す斜視図、図４は第１実施形態にかかる単位ダクトがテーブルの幕板に取り付けられた状態を示す断面図、図５は第１実施形態にかかる単位ダクトの斜視図であり、図６はレール部材に取り付けられた単位ダクトの作用説明図である。
【００１５】
図１に示されるように、符号１はＯＡ用のテーブルを示し、このテーブル１は、使用者側に対向する前端面側は湾曲した円弧状に形成されており、この天板２が４本の脚により支持されており、天板２前面の下面には該天板２前端の形状に合わせて湾曲した幕板４が前方の２本の脚３、３間に接続されて垂下支持されている。
【００１６】
ここで、本発明の第１実施形態である配線ダクト構造につき説明する。すなわち、配線ダクト８は、円弧状に湾曲形成されたＯＡ用テーブル幕板４の内側幅方向に左右方向に延設して配置して成るもので、正面側が開放された凹部の上下に対向する溝部９ａ、９ｂが延設して形成された可撓性を有する帯板状のレール部材９と、側面視前方を立上げて顎部１１ａを形成すると共に、レール部材９に形成された上下の溝部９ａ、９ｂに左右方向から挿入されて摺動可能に係合される取着部１３を設けた単位ダクト１０とから構成されている。
【００１７】
更に詳しくは、単位ダクト１０は、図５に示されるように１本の線材からなる細長い丸鋼を折曲して側面視略Ｌ字形に形成され、水平な載置部１１ｃと、該載置部１１ｃの前方から垂直に折曲して立上げた顎部１１ａと、載置部１１ｃの後方から垂直に折曲して丸鋼の両端部を立上げた支持部１１ｂとからなる配線支持部１２と、後方の支持部１１ｂに溶接などの手段で固定された取着部１３とから構成されている。
【００１８】
取着部１３は、１枚の鋼板を折曲して正面視矩形の箱形に形成されており、左右の縦辺を内側に折曲して折曲片が形成され、上下の横辺も内側に折曲してこれを上下に立ち上げて上下に突設した係止片１５ａ、１５ｂが形成されている。
【００１９】
そこで、単位ダクト１０は、配線支持部１２の後端より垂直に立ち上げた丸鋼両端の上方部位を、取着部１３左右の折曲片の両内側に挿嵌させて溶接することにより構成される。
【００２０】
レール部材９は、例えば所定の可撓性を有する合成樹脂材により形成されており、レール部材９の正面に形成される係止部１６は、取着部１３の係止片１５ａ、１５ｂが、左右端部から挿入可能な溝部９ａ、９ｂが上下に対向配置されて構成されている。
【００２１】
次に、配線ダクトの組立操作手順につき説明する。
【００２２】
図１〜図４に示されるように、先ずレール部材９に、この左右何れかの端部より単位ダクト１０後方の取着部１３上下の係止片１５ａ、１５ｂをレール部材９上下の溝部９ａ、９ｂに係合させて挿入し、複数の単位ダクト同士の間隔を適宜所望の間隔に配置する。
【００２３】
次に、テーブル１前方の天板２下面に設けられた円弧状の幕板４内側に、帯板状のレール部材９を幕板４の湾曲面に合わせて湾曲させて張り付け、ビスＢを介して幕板４の幅方向に左右方向に延設して取り付けられる。
【００２４】
このように、レール部材９が所定の可撓性を有するため、湾曲する幕板４に合わせて取り付けることができるばかりか、レール部材９に係合された各単位ダクト１０の間隔を変更することができるため、湾曲する幕板４の湾曲曲率に対応して配線ダクト８を構成することができる。
【００２５】
ここで、レール部材９の端部より単位ダクト１０を挿入するに際し、単位ダクト１０は、図５、図６に示されるように、係止片１５ａ、１５ｂがレール部材９の溝部９ａ、９ｂに差し込まれた際、係止片１５ａ、１５ｂの両外側角部Ｐ１、Ｐ２が溝部９ａ、９ｂ内の内壁に接触すると共に内側壁の略中央部Ｐ３が溝部９ａ、９ｂ内の外壁に接触するように構成されれば好ましい。
【００２６】
この構成を満足するためには、レール部材９の溝部９ａ、９ｂの溝幅と湾曲半径に対応するよう係止片１５ａ、１５ｂの横幅と板厚を決定すれば良く、係止片１５ａ、１５ｂの両外側角部Ｐ１、Ｐ２を鋭角に形成することにより、上下の係止片１５ａ、１５ｂは、溝部９ａ、９ｂ内を摺動させる際に両外側角部Ｐ１、Ｐ２と内側壁の略中央部Ｐ３にそれぞれ異なる方向の作用力Ｆ１、Ｆ２及びＲが溝部９ａ、９ｂ内に作用して食い込み勝手に係合することで、左右方向の移動が規制されるので、使用時において、所定間隔に配置された各単位ダクト１０の左右への位置ずれが防止されることになる。
【００２７】
なお、所定湾曲状に変形して取り付けられたレール部材９係合した複数の単位ダクト１０は、レール部材９の溝部９ａ、９ｂ内を左右に移動させることができるので、それぞれの間隔を適宜換えて所望の位置に配置することができる。
【００２８】
このようにして、図１及び図２に示されるように、複数の単位ダクト１０が所定の間隔をもって連接して係合されたレール部材９が天板２下面の湾曲した幕板４の内側に取付けられて配線ダクト８が組立てられると、図４に示すように、連接された複数の単位ダクト１０上に電源側の配線コードないしコンセントＴ等が載置され、このコンセントＴに天板２上に載置されているパソコン５側配線コードＣのプラグを天板２の配線口６を通して差し込み、適宜使用することができる。
【００２９】
さらに、配線支持部１２が１本の線材を折曲して構成されているので、成形が容易であるばかりでなく、配線支持部１２を軽量化することができる。
【００３０】
加えてレール部材９が、合成樹脂材の弾性変形可能な材質で平面視円弧状に形成されているので、湾曲曲率が正確に一致しない場合でも容易に曲率に対応させて取り付けることができ、絶縁性を有する材質を選択すれば各種電気配線に関する機器を載置しても安全に使用することができる。
【００３１】
つぎに本発明の第２実施形態につき説明する。図７は第２実施形態にかかる単位ダクトの斜視図である。なお、前記実施形態で示された構成部分と同一構成部分についいては、同一符号を付し重複する説明を省略する。
【００３２】
符号１８は配線ダクトを示し、この配線ダクト１８は、配線支持部１９と取着部２０から構成され、配線支持部１９は所定幅の帯板を折曲して構成されるもので、側面視略Ｌ字形に形成されており、水平な載置部２１ｃと、該載置部２１ｃの前方から垂直に折曲して立上げた顎部２１ａと、載置部２１ｃの後方から垂直に折曲して立上げた支持部２１ｂとで構成されており、後方の支持部２１ｂには配線支持部１９より幅広の帯板を折曲して構成された取着部２０が溶接などの手段で固定されている。
【００３３】
このように構成された配線ダクト１８は、前記実施形態と同様の操作により組み立てることができるのでその説明は省略する。本実施形態の配線ダクト１８によれば、所定幅の帯板を折曲するだけで形成されるので、形状が単純化すると共に成形加工を容易に行うことができる。
【００３４】
つぎに本発明の第３実施形態につき説明する。図８は第３実施形態にかかる配線ダクトの斜視図である。
【００３５】
本実施形態にかかる配線ダクト２２は、配線支持部２３と取着部２４から構成され、配線支持部２３は所定幅の帯板を折曲して構成されるもので、前方が側面視略Ｌ字形に形成されており、水平な載置部２６ｃと、該載置部２６ｃの前方から垂直に折曲して立上げた顎部２６ａと、載置部２６ｃの後方から垂直上方に折曲したのち、これを垂直下方に折り曲げて逆Ｕ字形の支持部２６ｂとで構成されており、前記顎部２６ａ及び載置部２６ｃより幅広に形成された支持部２６ｂの背面には帯板を折曲して構成された上下一対の係止片２７ａ、２７ｂから成る取着部２４が溶接などの手段で固定されている。
【００３６】
上下一対の係止片２７ａ、２７ｂは、支持部２６ｂの背面に所定間隔離間して配置された対向する上下に背面との間でそれぞれ溝部２９ａ、２９ｂが形成される。
【００３７】
一方、符号２５はレール部材を示し、このレール部材２５は、薄肉状の金属の帯板を所定湾曲状に折曲され、上下部にはそれぞれ係止片となるガイド部２５ａ、２５ｂが形成されると共に幅方向前面の中央には所定幅の浅溝２８が延設して形成され、浅溝２８には所定間隔毎に取付けビス用の貫通通孔３０が形成されている。
【００３８】
このように構成された配線ダクト２２は、前記実施形態と同様の操作により組み立てることができるのでその説明は省略する。本実施形態の配線ダクト２２によれば、レール部材２５の係止部として、上下にガイド部２５ａ、２５ｂが突設されて形成されたものでは、配線ダクト２２背面の上下に対向配置された溝部２９ａ、２９ｂがレール部材２５上下のガイド部２５ａ、２５ｂに上下で係止されるので多数の配線が支持されても安定状態で支持することができる。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
例えば、前述した実施形態においては、レール部材の溝に係止した配線ダクトを長手方向に所定間隔離間して所望の位置に位置決めするために、係止片の両角部を鋭角に形成して溝部内を移動する際に食い込み勝手に係合させることにより、抵抗を生じせしめて位置決めするようにしたが、溝部内に高摩擦部材を貼着するか、レール部材または係止片を高摩擦部材で構成しても良く、形状や材質を適宜変更することができることは勿論である。
【００４１】
【発明の効果】
本発明は以下の効果を奏する。
【００４２】
（ａ）請求項１項の発明によれば、複数の単位ダクトを可撓性を有する帯板状のレール部材に係合した状態でテーブルの幕板等の湾曲部に取り付けられるので、複数の単位ダクト間の間隔を予め決ることにより湾曲曲率に合わせて取り付けることができ、湾曲部に取り付けられたレール部材においても適宜移動させて間隔を調整することができる。
【００４３】
（ｂ）請求項２項の発明によれば、レール部材の係止部が、正面側が開放されて上下に対向する溝部が形成されたものでは、単位ダクトの取着部がレール部材の係止部に上下で係止されるので多数の配線が支持されても安定状態で支持することができる。
【００４４】
（ｃ）請求項３項の発明によれば、レール部材の上下に係止片が突設されて形成されたものでは、配線ダクトの溝部が係止片に上下で係止されるので多数の配線が支持されても安定状態で支持することができる。
【００４５】
（ｄ）請求項４項の発明によれば、配線支持部が１本の線材を折曲して構成されているので、成形が容易であり、配線支持部を軽量化することができる。
【００４６】
（ｅ）請求項５項の発明によれば、配線ダクトが所定幅の帯板を折曲するだけで形成されるので、形状が単純化し成形加工が容易になる。
【００４７】
（ｆ）請求項６項の発明によれば、幅方向両端の角部がレール部材の内面との接触により食い込み勝手に係合するので、連設される複数の配線ダクトが適宜間隙を維持するよう容易に位置決めすることができる。
【図面の簡単な説明】
【図１】本発明の配線ダクトが取り付けられたテーブルの斜視図である。
【図２】本発明の天板を除いた状態のテーブル下面を示す平面図である。
【図３】本発明の第１実施形態としての単位ダクトがテーブルの幕板に取り付けられた状態を示す斜視図である。
【図４】第１実施形態にかかる単位ダクトがテーブルの幕板に取り付けられた状態を示す断面図である。
【図５】第１実施形態にかかる単位ダクトの斜視図である。
【図６】レール部材に取り付けられた単位ダクトの作用説明図である。
【図７】第２実施形態にかかる単位ダクトの斜視図である。
【図８】第３実施形態にかかる単位ダクトの斜視図である。
【図９】従来の配線ダクトがテーブルの幕板に取り付けられた状態を示す斜視図である。
【符号の説明】
１                テーブル
２                天板
３                脚
４                幕板
５                パソコン
６                配線口
８                配線ダクト
９                レール部材
９ａ、９ｂ        溝部
１０              単位ダクト
１１ａ            顎部
１１ｂ            支持部
１１ｃ            載置部
１２              配線支持部
１３              取着部
１５ａ、１５ｂ    係止片
１６              係止部
１８              配線ダクト
１９              配線支持部
２０              取着部
２１ａ            顎部
２１ｂ            支持部
２１ｃ            載置部
２２              配線ダクト
２３              配線支持部
２４              取着部
２５ａ、２５ｂ    ガイド部
２５              レール部材
２６ａ            顎部
２６ｂ            支持部
２６ｃ            載置部
２７ａ、２７ｂ    係止片
２８              浅溝
２９ａ、２９ｂ    溝部
３０              貫通通孔
Ｂ                ビス
Ｃ                配線コード
Ｔ                コンセント
【図１】
0004346179.tif 000002
【図２】
0004346179.tif 000003
【図３】
0004346179.tif 000004
【図４】
0004346179.tif 000005
【図５】
0004346179.tif 000006
【図６】
0004346179.tif 000007
【図７】
0004346179.tif 000008
【図８】
0004346179.tif 000009
【図９】
0004346179.tif 000010